【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  原稿から画像情報を読み取り、読み取った画像情報を個人情報に関連付けて蓄積する、ネットワークに接続された情報処理装置において、読み込んだ所定のページの画像情報について文字認識処理を行う文字認識手段と、前記文字認識手段により認識された文字中から宛先個人情報および読み取り条件情報を抽出する情報抽出手段と、前記所定のページに続くページの画像情報を前記情報抽出手段により抽出された読み取り条件で読み取る画像読み取り手段と、読み取られた画像情報を前記情報抽出手段により抽出された宛先個人情報に関連付けて格納する画像格納手段とを備えたことを特徴とする情報処理装置。
【請求項２】  原稿から画像情報を読み取り、読み取った画像情報を宛先個人情報に関連付けて蓄積する、ネットワークに接続された情報処理装置において、読み込んだ所定のページの画像情報について文字認識処理を行う文字認識手段と、前記文字認識手段により認識された文字中から宛先個人情報および画像ファイル形式情報を抽出する情報抽出手段と、読み取られた画像情報を前記情報抽出手段により抽出された宛先個人情報に関連付け、抽出された前記画像ファイル形式で格納する画像格納手段とを備えたことを特徴とする情報処理装置。
【請求項３】  請求項１または請求項２記載の情報処理装置において、文字認識処理を行う所定のページを複数の見出しページとし、見出しページを検出する見出しページ検出手段を備え、前記見出しページ検出手段により検出された先行する見出しページから抽出した情報に従って画像読み取りを行っているときに前記見出しページ検出手段が次の見出しページを検出すると、前記次の見出しページから抽出した情報に従って後続のページの画像読み取りおよび画像格納を行う構成にしたことを特徴とする情報処理装置。
【請求項４】  原稿から画像情報を読み取り、読み取った画像情報を指示された宛先へ送信する、ネットワークに接続された情報処理装置において、見出しページを検出する見出しページ検出手段と、前記見出しページ検出手段により検出された見出しページの画像情報について文字認識処理を行う文字認識手段と、前記文字認識手段により認識された文字中から電子メール宛先情報またはインターネットプロトコルアドレスを抽出する宛先情報抽出手段と、読み取られた画像情報を前記宛先情報抽出手段により抽出された電子メール宛先情報またはインターネットプロトコルアドレスの宛先へ送信する送信手段とを備え、前記見出しページ検出手段が見出しページを検出した後に次の見出しページを検出すると、それぞれの見出しページに続く送信画像情報を、前記宛先情報抽出手段がそれぞれの見出しページから抽出した電子メール宛先情報またはインターネットプロトコルアドレスの宛先へ送信するように送信手段を構成したことを特徴とする情報処理装置。
【請求項５】  請求項１乃至４の何れか一項に記載の情報処理装置と、複数のクライアント端末装置と、メールサーバと、を備え、前記各クライアント端末装置は前記情報処理装置に蓄積されている画像情報を自端末装置に取り込んだり、前記メールサーバを介して広域網内の端末装置へ前記画像情報をメールとして送信することを特徴とする情報処理システム。
【手続補正２】
【補正対象書類名】明細書
【補正対象項目名】０００３
【補正方法】変更
【補正の内容】
【０００３】
【発明が解決しようとする課題】
しかしながら、前記の従来技術においては、画像入力時に、宛先のアドレスやユーザ名などを入力するためにキー操作を行わねばならないというような問題や、宛先のアドレスやユーザ名、読み取り条件などが異なる複数の画像情報を連続して読み込めないというような問題がある。
本発明の課題は、このような従来技術の問題を解決し、画像入力時に、キー操作をほとんど行う必要がなく、また、宛先のアドレスやユーザ名、読み取り条件などが異なる複数の画像情報を連続して読み込むこともできる情報処理装置を提供することにある。
【手続補正３】
【補正対象書類名】明細書
【補正対象項目名】０００４
【補正方法】変更
【補正の内容】
【０００４】
【課題を解決するための手段】
前記の課題を解決するために、請求項１記載の発明では、原稿から画像情報を読み取り、読み取った画像情報を個人情報に関連付けて画像蓄積手段に蓄積する、ネットワークに接続された情報処理装置において、読み込んだ所定のページの画像情報について文字認識処理を行う文字認識手段と、前記文字認識手段により認識された文字中から宛先個人情報および読み取り条件情報を抽出する情報抽出手段と、前記所定のページに続くページの画像情報を前記情報抽出手段により抽出された読み取り条件で読み取る画像読み取り手段と、読み取られた画像情報を前記情報抽出手段により抽出された宛先個人情報に関連付けて前記画像蓄積手段に格納する画像格納手段とを備えた。
また、請求項２記載の発明では、原稿から画像情報を読み取り、読み取った画像情報を宛先個人情報に関連付けて画像蓄積手段に蓄積する、ネットワークに接続された情報処理装置において、読み込んだ所定のページの画像情報について文字認識処理を行う文字認識手段と、前記文字認識手段により認識された文字中から宛先個人情報および画像ファイル形式情報を抽出する情報抽出手段と、読み取られた画像情報を前記情報抽出手段により抽出された宛先個人情報に関連付け、抽出された前記画像ファイル形式で前記画像蓄積手段に格納する画像蓄積手段とを備えた。
また、請求項３記載の発明では、請求項１または請求項２記載の発明において、文字認識処理を行う所定のページを複数の見出しページとし、見出しページを検出する見出しページ検出手段を備え、前記見出しページ検出手段により検出された先行する見出しページから抽出した情報に従って画像読み取りを行っているときに前記見出しページ検出手段が次の見出しページを検出すると、前記次の見出しページから抽出した情報に従って後続のページの画像読み取りおよび画像格納を行う構成にした。
また、請求項４記載の発明では、原稿から画像情報を読み取り、読み取った画像情報を指示された宛先へ送信する、ネットワークに接続された情報処理装置において、見出しページを検出する見出しページ検出手段と、前記見出しページ検出手段により検出された見出しページの画像情報について文字認識処理を行う文字認識手段と、前記文字認識手段により認識された文字中から電子メール宛先情報またはインターネットプロトコルアドレスを抽出する宛先情報抽出手段と、読み取られた画像情報を前記宛先情報抽出手段により抽出された電子メール宛先情報またはインターネットプロトコルアドレスの宛先へ送信する送信手段とを備え、前記見出しページ検出手段が見出しページを検出した後に次の見出しページを検出すると、それぞれの見出しページに続く送信画像情報を、前記宛先情報抽出手段がそれぞれの見出しページから抽出した電子メール宛先情報またはインターネットプロトコルアドレスの宛先へ送信するように送信手段を構成した。
また、請求項５記載の発明では、請求項１乃至４の何れか一項に記載の情報処理装置と、複数のクライアント端末装置と、メールサーバと、を備え、前記各クライアント端末装置は前記情報処理装置に蓄積されている画像情報を自端末装置に取り込んだり、前記メールサーバを介して広域網内の端末装置へ前記画像情報をメールとして送信することを特徴とする。
【手続補正４】
【補正対象書類名】明細書
【補正対象項目名】００１５
【補正方法】変更
【補正の内容】
【００１５】
【発明の効果】
以上説明したように、本発明によれば以下のような優れた効果が得られる。
請求項１記載の発明では、読み込んだ所定のページの画像情報について文字認識処理が行われ、認識された文字中から宛先個人情報および読み取り条件情報が抽出され、前記所定のページに続くページの画像情報が抽出された読み取り条件で読み取られ、読み取られた画像情報が抽出された宛先個人情報に関連付けて格納されるので、画像入力時に、宛先個人情報や読み取り条件指定のためのキー操作を行わなくても、画像情報が個人情報に関連付けて格納されるし、所望の読み取り条件で画像情報を読み込むことができる。したがって、所定のページに宛先個人情報や読み取り条件などを記載する必要があるものの、たとえば意図的に濃く読んで、同じ原稿を何度も送ったりする場合、その度毎に宛先個人情報や読み取り条件を設定する必要がないし、前記所定のページを原稿の途中に入れて途中から自動的に読み取り条件を変えたりすることも可能になる。
また、請求項２記載の発明では、読み込んだ所定のページの画像情報について文字認識処理が行われ、認識された文字中から宛先個人情報および画像ファイル形式情報が抽出され、読み取られた画像情報が抽出された前記画像ファイル形式で抽出された宛先個人情報に関連付けて格納されるので、宛先個人情報などを記載する所定のページに画像ファイル形式をたとえば１桁の数字で書き加えるだけで、格納される画像ファイルの画像ファイル形式をクライアント端末装置の画像ファイル形式に合わせたりすることが可能になり、後に画像情報をクライアント端末装置へ取り込んだ際、画像ファイル形式の変換などを行う必要がなくなる。また、自分用の宛先個人情報と画像ファイル形式を印刷した所定のページを用意しておいて毎回同じものを用いれば、所定のページ（用紙）に書き込む手間も省ける。
また、請求項３記載の発明では、請求項１または請求項２記載の発明において、検出された先行する見出しページから抽出された情報に従って画像読み取りが行われているときに次の見出しページが検出されると、前記次の見出しページから抽出された情報に従って後続のページの画像読み取りおよび画像蓄積が行われるので、宛先個人情報、読み取り条件、画像ファイル形式などの異なった複数の画像情報（画像ファイル）を連続して読み取らせることができ、したがって、作業効率が増大する。
また、請求項４記載の発明では、一つの見出しページが検出された後に次の見出しページが検出されると、それぞれの見出しページに続く送信画像情報が、それぞれの見出しページから抽出された電子メール宛先情報またはインターネットプロトコルアドレスの宛先へ送信されるので、宛先、読み取り条件、画像ファイル形式などの異なった複数の画像情報（画像ファイル）を連続して効率よく読み取らせ、効率よく送信することができる。
また、請求項５記載の発明では、各クライアント端末装置は情報処理装置に蓄積されている画像情報を自端末装置に取り込んだり、メールサーバを介して広域網内の端末装置へ画像情報をメールとして送信するので、情報を共有化することができる。